(57)【要約】【課題】  隣り合うピース材の連結状態が強固であるが、きわめて簡単に交換できるようにした。【解決手段】  隣り合うピース材２をリング部材３で連結してなるアクセサリー１であって、前記ピース材２は、装飾片２１の側縁に設けた側壁部２２に、先端が開放する連結用孔２３を設けるとともに前記連結用孔２３の途中に幅狭な連結用通過部２５を形成し、前記リング部材３は、前記連結用孔２３に収納される太さであって、ピース材２の連結用通過部２５を通る幅の係合片３２を途中に設けてなることを特徴とする。【選択図】  図２
0003107357.tif 000002
【実用新案登録請求の範囲】
【請求項１】
隣り合うピース材をリング部材で連結してなるアクセサリーであって、
前記ピース材は、装飾片の側縁に設けた側壁部に、先端が開放する連結用孔を設けるとともに前記連結用孔の途中に幅狭な連結用通過部を形成し、
前記リング部材は、前記連結用孔に収納される太さであって、ピース材の連結用通過部を通過する幅の係合片を途中に設けてなる、
ことを特徴とするアクセサリー。
【考案の詳細な説明】
【技術分野】
【０００１】
本考案は、ネックレス、ペンダント、ブレスレットなど比較的長尺なアクセサリーに関するものである。
【背景技術】
【０００２】
ピース材を連結してアクセサリーとすることは、例えば特開２００４−２２２８５８号公報に記載されている。このアクセサリーは、ピース材に球状部を有する突起と、この球状部を嵌合可能な凹部とを設け、隣り合うピース材の球状部を凹部に嵌合させてフレキシ
ブルに連結させるようにした構成である。
【特許文献１】特開２００４−２２２８５８号公報
【考案の開示】
【考案が解決しようとする課題】
【０００３】
しかし、前記した従来のアクセサリーでは、球状部が凹部に嵌合すると簡単に外れないので、ピース材の交換ができないという欠点があった。また、仮に隣り合うピース材が交換できるとすれば、球状部が凹部に緩く嵌合しているので簡単に外れてしまい、商品価値がなくなる。
したがって本考案は、隣り合うピース材の連結状態が強固であるが、きわめて簡単に交換できる構成のアクセサリーを提供することを目的とする。
【課題を解決するための手段】
【０００４】
前記目的を達成するために、本考案は、隣り合うピース材をリング部材で連結してなるアクセサリーであって、前記ピース材は、装飾片の側縁に設けた側壁部に、先端が開放する連結用孔を設けるとともに前記連結用孔の途中に幅狭な連結用通過部を形成し、前記リング部材は、前記連結用孔に収納される太さであって、ピース材の連結用通過部を通る幅の係合片を途中に設けてなることを特徴とするアクセサリーを提供するのである。
【考案の効果】
【０００５】
したがって、本考案によれば、ピース材を金、銀、プラチナ等の貴金属製とし、装飾片の表面に例えば飾り英文字を立体的に表示しておくと、所望の英文字のピース材を連続させることにより、使用者のイニシアルやフルネームを示すブレスレット、ネックレス、ペンダントなどのアクセサリーを作製することができるし、また装飾片の表面に変化に富んだ模様や図形を形成すると、使用者しか持っていないオリジナルデザインのブレスレットやネックレスを作製することができる。
【０００６】
しかも、ピース材は交換可能であるから、例えばプレゼントとして贈呈する場合に多数のピース材をセットとして、一部のピース材を使用してブレスレットなどを作製し、ある程度の期間が経過したら他のピース材に交換すると、更に変化に富むアクセサリーとなるものである。
【考案を実施するための最良の形態】
【０００７】
本考案のアクセサリーは、隣り合うピース材は簡単に外れないが、リング部材の操作によって容易に外れるようにしたことを特徴とし、そのために使用者がピース材を自由に交換することができるようにしたことにある。
【０００８】
本考案の具体的構成は、隣り合うピース材をリング部材で連結してなるアクセサリーであって、前記ピース材は、装飾片の側縁に設けた側壁部に、先端が開放する連結用孔を設けるとともに前記連結用孔の途中に幅狭な連結用通過部を形成し、前記リング部材は、前記連結用孔に収納される太さであって、ピース材の連結用通過部を通る幅の係合片を途中に設けてなることを特徴とする。
【実施例】
【０００９】
以下に本考案の実施例を図面に基づいて説明する。
図１は全体の概略斜視図、図２はピース材とリング部材とを分離した斜視図、図３は図２の平面図、図４は図２の一部を切断した側面図、図５は隣り合うピース材の連結過程での斜視図、図６は連結されたピース材の平面図、図７は図６の側面図である。
【００１０】
本考案のアクセサリー１は、例えば貴金属で成形し、若しくは硬質合成樹脂で成形して表面に金属メッキ膜を設けたピース材２と、隣り合うピース材２を連結する連結用のリング部材３とを有する。
【００１１】
前記ピース材２は、板状の装飾片２１の側縁に側壁部２２を設けた浅い皿枠状で、図面の実施例では矩形であるが、その他の多角形、円形、楕円形等、どの様な形状でもよい。また、全体形状も板状ではなく、低い山状、凹凸を有する立体形状など各種の形状にすることができる。
前記ピース材２は、例えば一辺が５〜３０ミリ、側壁部２２の高さが３〜１０ミリ程度である。
【００１２】
そして、前記ピース材２における側壁部２２の相対向する位置に、連結用孔２３を形成する。前記連結用孔２３は、側壁部２２の先端において開放し、また連結用孔２３の途中から左右に突出する凸部２４により挟まれて幅狭になる連結用通過部２５を設けた構成である。
【００１３】
したがって、前記連結用孔２３は、前記連結用通過部２５により上下に区画されて装飾片２１の裏面に連続する第１孔部分２６と、先端が開放する第２孔部分２７とを有する。
なお、装飾片２１の表面には、浮き彫り状に、若しくは立体的な文字、図形、記号などからなる装飾部２８を設けてある。
【００１４】
前記連結部材３は、無端リング状の部材本体３１の一部に、左右部分を欠切することにより幅狭な係合片３２を形成した構成である。
【００１５】
前記係合片３２は、前記連結用孔２３の連結用通過部２５をぎりぎりに通過する程度の幅で、また長さも連結用通過部２５の長さ、即ち側壁部２２の厚さよりごく僅かに長い程度である。
【００１６】
本考案のアクセサリー１は、前記した構成のピース材２及び連結部材３からなるものであり、複数のピース材２と連結部材３とを使用してアクセサリー１にするには以下の通りである。
【００１７】
分離しているピース材２と連結部材３（図２，３，４）とにおいて、上下を逆にしたピース材２の連結用孔２３の開放部分に連結部材３の係合片３２が臨むように位置させ、そのまま連結部材３を下に動かして係合片３２を連結用孔２３に嵌め込むとともに連結用通過部２５を通過させ、係合片３２を第１孔部分２６に嵌め付ける。
【００１８】
そして、係合片３２が側壁部２２の外側になるように連結部材３を長さ方向に沿って僅かに移動すると、係合片３２が第１孔部分２６から外れて部材本体３１が第１孔部分２６に位置するので、連結部材３が連結用孔２３から外れなくなる（図５）。
【００１９】
この状態で、隣り合って連結する他のピース材２の連結用孔２３に前記連結部材３の係合片３２を位置させ、係合片３２を第２孔部分２７から連結用通過部２５に通して第１孔部分２６に嵌め付けるとともに、連結部材３を回動移動させる（図７）。
【００２０】
したがって、隣り合うピース材２は、各連結用孔２３に嵌め込まれた連結部材３によって連結され、連結部材３が第１孔部分２６に嵌め付けられて左右の凸部２４で係止されているので、外れることがない。
【００２１】
このようにして、各ピース材２を連結部材３により順次連結して長尺にし、各端部に留め具を設けると、長さに対応してブレスレット、ネックレス、ペンダントとして使用することができ、特にピース材２，連結部材３を貴金属製にして装飾部２８を斬新な形態にすることにより、高級感のあるアクセサリーを供することができる。
【００２２】
そして、装飾部２８を英文字にすると、利用者のイニシアルやフルネームを形成できるので、特に稀少価値があってオリジナリティに富むものである。しかし、装飾部２８としては、十二支やその他の動物図形、他の模様などを使用して機知に富んだものとしてもよい。
【００２３】
また、ピース材２を交換して装飾部２８の全体形態を変化させる場合、連結部材３を回動して隣り合う一方のピース材２の第１孔部分２６に係合片３２を位置させ、その状態でピース材２を移動して係合片３２を連結用通過部２５から第２孔部分２７にまで移動すると、隣り合うピース材２を分離することができる。
したがって、必要なピース材２を分離したり、または前記したような操作で連結することにより、ピース材２を自由に交換することができるので、装飾部２８の全体形態を自由に変化させることができるばかりでなく長さを変えることができるので、ブレスレットをネックレスとして、若しくはペンダントとして変化させることができ、アクセサリーとしての価値を著しく高めることができる。
【産業上の利用可能性】
【００２４】
本考案は前記実施例に限定されるものではなく、実用新案登録請求の範囲に記載の構成を変更しない限り、ピース材を交換することにより装飾部２８の全体形態を自由に変えることができ、また長さを変えることができるものである。
【図面の簡単な説明】
【００２５】
【図１】全体の概略斜視図である。
【図２】ピース材とリング部材とを分離した斜視図である。
【図３】図２の平面図である。
【図４】図２の一部を切断した側面図である。
【図５】隣り合うピース材の連結過程での斜視図である。
【図６】連結されたピース材の平面図である。
【図７】図６の側面図である。
【符号の説明】
【００２６】
１    アクセサリー
２    ピース材
３    リング部材
２１    装飾片
２２    側壁部
２３    連結用孔
２４    凸部
２５    連結用通過部
２６    第１孔部分
２７    第２孔部分
２８    装飾部
３１    部材本体
３２    係合片
【図１】
0003107357.tif 000003
【図２】
0003107357.tif 000004
【図３】
0003107357.tif 000005
【図４】
0003107357.tif 000006
【図５】
0003107357.tif 000007
【図６】
0003107357.tif 000008
【図７】
0003107357.tif 000009